(57)【要約】【課題】  現在、特定操作にて再生中の動画像を静止画としてキャプチャ可能な記録再生装置においてユーザーが再生中の動画像を認識してから特定操作を行った際、既に所望の動画像を通過してしまっている課題がある。前述の課題に対し、静止画キャプチャをする特殊操作を実施した際に、再生していた直前のキャプチャに適した動画像位置まで再生位置を戻し、かつスロー再生を実施することによりユーザーが所望の動画像を静止画キャプチャし易い記録再生装置を提供する。【解決手段】  再生中に静止画キャプチャに適した動画像位置情報を保存しておき、静止画キャプチャ準備指示がなされた際に、前記動画像再生位置まで再生を戻しスロー再生を実施し、ユーザーが所望の動画像を静止画キャプチャし易い状態とする。【選択図】  図１
2011109441.tif 000002
【特許請求の範囲】
【請求項１】
再生中の動画像を静止画としてキャプチャ可能な記録再生装置において、再生用動画像データを格納する動画像記録媒体と、前記動画像記録媒体に格納される動画像データを再生制御する再生処理部と、再生されたデータを表示する表示部と、静止画キャプチャ準備指示及びキャプチャ指示を行う操作部と、静止画キャプチャ用再生の開始位置を格納するキャプチャ用再生位置テーブルとを具備し、動画像を再生している間、静止画キャプチャ用再生の開始位置として適した動画像の位置情報を前記キャプチャ用再生位置テーブルに登録し、前記操作部より再生中の動画像のキャプチャ準備指示が入力された場合、前記キャプチャ用再生位置テーブルに登録されている再生位置よりスロー再生を実施することを特徴とする記録再生装置。
【請求項２】
前記記録再生装置において、再生が順方向再生中に前記操作部より再生中の動画像のキャプチャ準備指示が入力された場合、前記キャプチャ用再生位置テーブルに格納されている、時間位置が再生開始端側かつ再生位置が現在再生中の再生位置に最も近い再生位置より順方向にスロー再生を実施することを特徴とする請求項１記載の記録再生装置。
【請求項３】
前記記録再生装置において、再生が一時停止中に前記操作部より再生中の動画像のキャプチャ準備指示が入力された場合、前記表示部に表示される動画像を静止画としてキャプチャすることを特徴とする請求項１記載の記録再生装置。
【請求項４】
前記記録再生装置において、再生が逆方向再生中に前記操作部より再生中の動画像のキャプチャ準備指示が入力された場合、前記キャプチャ用再生位置テーブルに格納されている、時間位置が再生終端側かつ再生位置が現在再生中の再生位置に最も近い位置より逆方向にスロー再生を実施することを特徴とする請求項１記載の記録再生装置。
【請求項５】
前記記録再生装置において、前記キャプチャ用再生位置テーブルが複数の動画像位置情報を格納可能である場合、動画像を再生中、前記再生処理部にて静止画キャプチャ用再生の開始位置として適した動画像を検出した際に、前記キャプチャ用再生位置テーブルに動画像の再生位置情報を順に登録することを特徴とする請求項１，２，３，４記載の記録再生装置。
【請求項６】
前記記録再生装置において、前記操作部より連続してキャプチャ準備指示を入力された場合、前記連続回数分、前記キャプチャ用再生位置テーブルの参照位置を登録順が以前のものに更新し、更新された前記キャプチャ用再生位置テーブル位置に格納される動画像の再生位置よりスロー再生を実施することを特徴とする請求項５記載の記録再生装置。
【請求項７】
前記記録再生装置において、前記キャプチャ用再生位置テーブルに登録される動画像位置情報は、ＭＰＥＧ規格のＩピクチャであることを特徴とする請求項１，２，３，４，５，６記載の記録再生装置。
【請求項８】
前記記録再生装置において、前記キャプチャ用再生位置テーブルに登録される動画像位置情報は、予め指定してあるサイズより大きい圧縮データであることを特徴とする請求項１，２，３，４，５，６記載の記録再生装置。
【請求項９】
前記記録再生装置において、前記キャプチャ用再生位置テーブルに登録される動画像位置情報は、予め指定してある時間間隔位置にある動画像位置であることを特徴とする請求項１，２，３，４，５，６記載の記録再生装置。
【請求項１０】
前記記録再生装置において、前記表示部に表示されている動画像を静止画としてキャプチャする静止画処理部と、キャプチャした静止画を記録する静止画記録媒体とを具備し、キャプチャ準備指示によるスロー再生中に前記入力部よりキャプチャ指示された場合、前記静止画処理部にて動画像を静止画としてキャプチャし、前記静止画記録媒体に格納することを特徴とする請求項１，２，３，４，５，６，７，８，９記載の記録再生装置。
【発明の詳細な説明】
【技術分野】
【０００１】
本発明は、特定操作にて再生中の動画像を静止画としてキャプチャ可能な記録再生装置における静止画キャプチャを容易にするキャプチャ用処理に関するものである。
【背景技術】
【０００２】
従来、再生中の動画像を静止画としてキャプチャ可能な記録再生装置では、再生中の特定操作にて再生中の動画像を静止画として記録していたが、ユーザーが再生画を確認してから特定操作を実施する場合、実際にキャプチャされる動画像はユーザーが意図した再生位置より遅れた時間位置となってしまうという課題がある。このため、ユーザーが意図した再生位置であるかを確認する意味で、特定操作実施時に再生を一時停止状態にしてユーザーに確認させる技術が存在する。（キヤノン  デジタルビデオカムコーダによるテープ再生の静止画キャプチャ技術）
【先行技術文献】
【特許文献】
【０００３】
【特許文献１】特開平８−１２４１８２号公報
【発明の概要】
【発明が解決しようとする課題】
【０００４】
しかしながら、上記技術例では一時停止した際に、既にユーザーが所望する静止画キャプチャ位置を超過している場合には一度巻き戻し等の処理を実施しなければならないという問題があった。
【課題を解決するための手段】
【０００５】
本発明は上記の課題を解決するため、本出願による第１の発明は、再生中の動画像を静止画としてキャプチャ可能な記録再生装置において、再生用動画像データを格納する動画像記録媒体と、前記動画像記録媒体に格納される動画像データを再生制御する再生処理部と、再生されたデータを表示する表示部と、静止画キャプチャ準備指示及びキャプチャ指示を行う操作部と、静止画キャプチャ用再生の開始位置を格納するキャプチャ用再生位置テーブルとを具備し、動画像を再生している間、静止画キャプチャ用再生の開始位置として適した動画像の位置情報を前記キャプチャ用再生位置テーブルに登録し、前記操作部より再生中の動画像のキャプチャ準備指示が入力された場合、前記キャプチャ用再生位置テーブルに登録されている再生位置よりスロー再生を実施することを特徴とする。
【０００６】
また、本出願による第２の発明は、前記本出願による第１の発明において、再生が順方向再生中に前記操作部より再生中の動画像のキャプチャ準備指示が入力された場合、前記キャプチャ用再生位置テーブルに格納されている、時間位置が再生開始端側かつ再生位置が現在再生中の再生位置に最も近い再生位置より順方向にスロー再生を実施することを特徴とする。
【０００７】
また、本出願による第３の発明は、前記本出願による第１の発明において、再生が一時停止中に前記操作部より再生中の動画像のキャプチャ準備指示が入力された場合、前記表示部に表示される動画像を静止画としてキャプチャすることを特徴とする。
【０００８】
また、本出願による第４の発明は、前記本出願による第１の発明において、再生が逆方向再生中に前記操作部より再生中の動画像のキャプチャ準備指示が入力された場合、前記キャプチャ用再生位置テーブルに格納されている、時間位置が再生終端側かつ再生位置が現在再生中の再生位置に最も近い位置より逆方向にスロー再生を実施することを特徴とする。また、本出願による第５の発明は、前記本出願による第１，２，３，４の発明において、前記キャプチャ用再生位置テーブルが複数の動画像位置情報を格納可能である場合、動画像を再生中、前記再生処理部にて静止画キャプチャ用再生の開始位置として適した動画像を検出した際に、前記キャプチャ用再生位置テーブルに動画像の再生位置情報を順に登録することを特徴とする。
【０００９】
また、本出願による第６の発明は、前記本出願による第５の発明において、前記操作部より連続してキャプチャ準備指示を入力された場合、前記連続回数分、前記キャプチャ用再生位置テーブルの参照位置を登録順が以前のものに更新し、更新された前記キャプチャ用再生位置テーブル位置に格納される動画像の再生位置よりスロー再生を実施することを特徴とする。
【００１０】
また、本出願による第７の発明は、前記本出願による第１，２，３，４，５，６の発明において、前記キャプチャ用再生位置テーブルに登録される動画像位置情報は、ＭＰＥＧ規格のＩピクチャであることを特徴とする。
【００１１】
また、本出願による第８の発明は、前記本出願による第１，２，３，４，５，６の発明において、前記キャプチャ用再生位置テーブルに登録される動画像位置情報は、予め指定してあるサイズより大きい圧縮データであることを特徴とする。
【００１２】
また、本出願による第９の発明は、前記本出願による第１，２，３，４，５，６の発明において、前記キャプチャ用再生位置テーブルに登録される動画像位置情報は、予め指定してある時間間隔位置にある動画像位置であることを特徴とする。
【００１３】
また、本出願による第１０の発明は、前記本出願による第１，２，３，４，５，６，７，８，９の発明において、前記表示部に表示されている動画像を静止画としてキャプチャする静止画処理部と、キャプチャした静止画を記録する静止画記録媒体とを具備し、キャプチャ準備指示によるスロー再生中に前記入力部よりキャプチャ指示された場合、前記静止画処理部にて動画像を静止画としてキャプチャし、前記静止画記録媒体に格納することを特徴とする請求項１，２，３，４，５，６，７，８，９記載の記録再生装置。
【発明の効果】
【００１４】
特定操作にて再生中の動画像を静止画としてキャプチャ可能な記録再生装置において、再生中、キャプチャに最適と思われる動画像の位置情報をキャプチャ用再生位置テーブルに格納しておき、静止画キャプチャを実施する際に、直前のキャプチャ用再生位置テーブルに格納されている動画像位置情報よりスロー再生を実施することによりユーザーが静止画キャプチャにて所望の画像を取得することを容易にする。
【図面の簡単な説明】
【００１５】
【図１】本発明を摘要した記録再生装置の概略構成を示すブロック図
【図２】本発明を適用した記録再生装置の処理を示すフローチャート
【図３】本発明を適用した記録再生装置にて特殊再生を含む再生指示を実施する為の再生操作部例
【図４】本発明を適用した記録再生装置にてキャプチャに適した動画像位置を取得する概念図
【図５】本発明を適用した記録再生装置におけるキャプチャ用再生位置テーブル例
【図６】本発明を適用した記録再生装置にてキャプチャ準備指示を行う為のキャプチャ操作部例
【図７】本発明を適用した記録再生装置にて複数個前の適した再生位置を選択する際に可能回数を超えて指示された際の表示例
【図８】本発明を適用した記録再生装置にてキャプチャ指示を行う為のキャプチャ操作部例
【発明を実施するための形態】
【００１６】
以下、図面を参照しながら本発明を説明する。
【００１７】
図１は、本発明を実施した記録再生装置の概略構成を示すブロック図である。
【００１８】
１０１は、各部の動作を制御するＣＰＵである。
【００１９】
１０２は、ＣＵＰ１０１及び後述する再生処理部１０４にて使用する作業用のメモリである。また、後述するキャプチャ用再生位置テーブルを本メモリ内に内包する。
【００２０】
１０３は、再生する動画像記録が格納される動画像記録媒体である。
【００２１】
１０４は、動画像記録媒体１０３内の動画像記録の再生を制御する再生処理部である。再生は特殊再生を含むものとする。また、再生中に後述するキャプチャ用再生位置テーブルに格納すべき動画像位置情報を認識し、ＣＰＵ１０１を介して動画像位置情報をキャプチャ用再生位置テーブルに記録する。
【００２２】
１０５は、動画像記録媒体１０３内の動画像記録を動画像データ処理１０４により再生された動画像を表示する表示部である。また、処理に警告が伴う場合、ＣＰＵ１０１の指示により警告情報を表示する。
【００２３】
１０６は、再生中に再生処理部１０４を介し、ＣＰＵ１０１が再生位置情報として格納すべきと判断した際に、再生位置情報を格納するキャプチャ用再生位置テーブルである。複数の位置情報を格納可能であり、メモリ１０２に内包されるものとする。
【００２４】
１０７は、ユーザーが本記録再生装置に対し特殊再生を含む再生指示を行う再生操作部である。
【００２５】
１０８は、少なくとも静止画キャプチャ準備指示、静止画キャプチャ指示を行うキャプチャ操作部である。
【００２６】
１０９は、再生中の動画像データより静止画を生成する静止画処理部である。
【００２７】
１１０は、静止画処理部１０９により生成された静止画データを格納する静止画記録媒体である。
【００２８】
次に本発明を実施した記録再生装置における、静止画キャプチャ処理について図２，図３，図４，図５，図６，図７，図８に基づいて説明する。
【００２９】
まず、図２において、ＣＰＵ１０１は、再生操作部１０７より入力された指示に従い、再生処理部１０４に再生指示を行う。再生指示を受けた再生処理部１０４は動画像記憶媒体１０３より動画像データを取得し、データ処理を施し再生を実施し、表示部１０５に動画像を出力させる。また再生の方向をメモリ１０２に格納し（ステップ２０１）、ステップ２０２に遷移する。再生操作部１０７の例を図３に示す。図３は本実施例を適応した記録再生装置の再生操作部の例である。再生、停止、一時停止、早送り、巻き戻しを各キーにて操作可能とする。
【００３０】
ＣＰＵ１０１は、再生処理部１０４より動画像データの末端に到達したことを通知されない。
【００３１】
監視する（ステップ２０２）。動画像データ末端に到達したことを通知された場合、処理を終了する。また、通知されない場合、ステップ２０３に遷移する。
【００３２】
再生処理部１０４は、動画像記録媒体１０３より取得した動画像データを参照し、静止画キャプチャに適したデータかを判別する（ステップ２０３）。キャプチャに適した動画像と判断された場合はステップ２０４へ、判断されなかった場合はステップ２０２へ遷移する。本実施例では再生データをＭＰＥＧストリームとし、ステップ２０３にてキャプチャに適したと判断される条件はＩピクチャであるものとする。また、概念を図４に示す。図４−１では右方向に行くに従い時間が新しいものが再生されていることを示す。その際に再生処理部１０４がＩピクチャであることを認識した場合、その時間情報を後述するキャプチャ用再生位置テーブル１０６に格納する。図４では「０：００：０１：００」となり、１秒０フレームという時間情報が登録されるものとする。図４−２では動画像１フレームの圧縮サイズが１００ＫＢを超えた場合に、また、図４−３では、経過時間が１秒おきにキャプチャ用再生位置テーブル１０６に時間情報を登録する。
【００３３】
再生処理部１０４は、ステップ２０３にてキャプチャに適したと判断された動画像データの動画像位置情報をＣＰＵ１０１を介してキャプチャ用再生位置テーブル１０６に格納し（ステップ２０４）、ステップ２０５に遷移する。キャプチャ用再生位置テーブルは先頭にリードポインタ、ライトポインタを具備するリングバッファにて構成され複数の動画像位置情報を格納可能とする。キャプチャ用再生位置テーブル１０６の概要を図５に示す。キャプチャ用再生位置テーブル１０６は、ステップ２０４にて時間情報を登録する場合は、ライトポインタを＋１する。但し、ライトポインタを＋１した際にキャプチャ用再生位置テーブル１０６の領域を超えてしまう場合は、ライトポインタを０とする。
【００３４】
ＣＰＵ１０１はキャプチャ操作部１０８よりキャプチャ準備指示が入力されないか監視を行う。キャプチャ操作部１０８よりキャプチャ準備指示が入力された場合、ステップ２０６へ、入力されなかった場合、ステップ２０２へ遷移する。キャプチャ操作部１０８のキャプチャ準備指示用の例を図６に示す。本実施例ではキャプチャ準備指示を行うキャプチャ操作部１０８はカメラ等に搭載される二段式のキーの第一段目を割当てるものとする。
【００３５】
ＣＰＵ１０１は、一定時間内にキャプチャ操作部１０８より入力されたキャプチャ準備指示の回数をカウントし、メモリ１０２に格納する（ステップ２０６）。格納後、ステップ２０７に遷移する。
【００３６】
ＣＰＵ１０１は、ステップ２０６にてメモリ１０２に格納されたキャプチャ準備指示の回数と、キャプチャ用再生位置テーブル１０６内のライトポインタとリードポインタの差分を比較し、比較結果が同値もしくはキャプチャ用再生位置テーブル１０６内のライトポインタとリードポインタの差分値が大きい場合、ステップ２０８へ、キャプチャ準備指示の回数が大きい場合、ステップ２０９に遷移する（ステップ２０７）。
【００３７】
ＣＰＵ１０１は、ステップ２０６で取得したキャプチャ準備指示の回数をメモリ１０２より読み出し、キャプチャ用再生位置テーブル１０６内のライトポインタ位置よりリードポインタ位置の方向に通知されたキャプチャ準備指示回数分ポインタをずらした内部に格納される再生位置情報を再生処理部１０４に設定し、リードポインタをキャプチャ準備指示回数分更新する（ステップ２０８）。
【００３８】
ＣＰＵ１０１は、キャプチャ操作部１０８より入力されたキャプチャ指示回数分、再生位置を戻して再生することが不可能であることを表示部１０５を介してユーザーに通知する（ステップ２０９）。
【００３９】
ＣＰＵ１０１は、キャプチャ用再生位置テーブル１０６内のライトポインタ位置内部に格納される再生位置情報を再生処理部１０４に設定し、キャプチャ用再生位置テーブルのリードポインタをライトポインタと同値に変更する（ステップ２１０）。キャプチャ用再生位置テーブル１０６内のライトポインタ、リードポインタについては図５を参照とする。
【００４０】
ＣＰＵ１０１は、ステップ２０１にてメモリ１０２に格納した値を読み取り、同一方向にスロー再生を実施するよう再生処理部１０４に対し指示する（ステップ２１１）。
【００４１】
ＣＰＵ１０１は、キャプチャ操作部１０８よりキャプチャ指示が入力されないか監視する（ステップ２１２）。キャプチャ操作部１０８よりキャプチャ指示が入力された場合、ステップ２１３へ、されなかった場合、ステップ２１４へ遷移する。図８は本実施例を適応した記録再生装置のキャプチャ指示の操作部の例である。本実施例ではキャプチャ準備指示を行うキャプチャ操作部１０８はカメラ等に搭載される二段式のキーの第二段目を割当てるものとする。
【００４２】
ＣＰＵ１０１は、静止画処理部１０９に対し、現在表示部１０５に表示されている動画像を静止画としてキャプチャするよう指示する。ＣＰＵ１０１より指示を受けた静止画処理部１０９は動画像を静止画としてデータ処理を施し、静止画記録媒体１１０内に静止画データとして格納し（ステップ２１３）、処理を終了する。
【００４３】
ＣＰＵ１０１は、再生処理部１０４より動画像データの末端に到達したことを通知されないか監視する（ステップ２１４）。動画像データ末端に到達したことを通知された場合、処理を終了する。また、通知されない場合、ステップ２１２に遷移する。
【符号の説明】
【００４４】
１０１  ＣＰＵ
１０２  メモリ
１０３  動画像記録媒体
１０４  再生処理部
１０５  表示部
１０６  キャプチャ用再生位置テーブル
１０７  再生操作部
１０８  キャプチャ操作部
１０９  静止画処理部
１１０  静止画記録媒体
【図１】
2011109441.tif 000003
【図２】
2011109441.tif 000004
【図３】
2011109441.tif 000005
【図４】
2011109441.tif 000006
【図５】
2011109441.tif 000007
【図６】
2011109441.tif 000008
【図７】
2011109441.tif 000009
【図８】
2011109441.tif 000010